(57)【要約】【課題】包装資材を簡素化し環境保護に有利な記録媒体用の収納ケースを提供する。【解決手段】記録媒体３０の収納ケースであって、記録媒体３０を包み込む内ケース３と、一端に開口４１を形成し、内側に収納空間４２を形成した外ケース２とを備え、内ケース３及び外ケース２は、紙材を折り曲げて形成しており、開口４１から内ケース３を挿入して、内ケース３を外ケース２の収納空間４１に収納する。この構成によれば、収納ケースを構成する内ケース３及び外ケース２のいずれについても、紙材を加工して形成することができ、樹脂成形によるものと比べて、設備面で簡素化できるとともに、樹脂材料の使用も不要となり、廃棄物の削減の点においても有利になる。【選択図】図１０
2010173676.tif 000002
【特許請求の範囲】
【請求項１】
記録媒体の収納ケースであって、
前記記録媒体を包み込む内ケースと、
一端に開口を形成し、内側に収納空間を形成した外ケースとを備え、
前記内ケース及び前記外ケースは、紙材を折り曲げて形成しており、
前記開口から前記内ケースを挿入して、前記内ケースを前記外ケースの前記収納空間に収納することを特徴とする記録媒体の収納ケース。
【請求項２】
前記外ケースの側面は、前記開口側の端部を、前記収納空間側に折り返して形成した爪部を形成しており、
前記内ケースの側面は、前記外ケースへの挿入方向の端部に、前記挿入方向の端部側が開放した隙間を形成しており、
前記内ケースを前記外ケースに収納した状態で、前記隙間に前記爪部が差し込まれるようにしている請求項１に記載の記録媒体の収納ケース。
【請求項３】
前記外ケースは、前記爪部を形成した側の前記開口の４隅に切り欠きを形成しており、前記切り欠きは、前記爪部を挟む位置に配置している請求項２に記載の記録媒体の収納ケース。
【請求項４】
前記内ケースの前記側面の前記挿入方向の両端部のうち、一端に前記隙間を形成し、他端は前記一端と異なる折り曲げ形状にして前記隙間を形成していない請求項２又は３に記載の記録媒体の収納ケース。
【請求項５】
前記内ケースの前記側面の前記挿入方向の両端部のうち、一端に前記隙間を形成し、他端は前記一端と異なる折り曲げ形状にして、前記内ケースの前記側面に対し起伏可能な起伏片を形成している請求項２から４のいずれかに記載の記録媒体の収納ケース。
【請求項６】
前記内ケース及び前記外ケースの少なくともいずれかに、前記記録媒体に関する表示が付されている請求項１から５のいずれかに記載の記録媒体の収納ケース。
【請求項７】
前記内ケース及び前記外ケースの少なくともいずれかは、前記表示により、前記記録媒体の取扱説明書を兼ねている請求項６に記載の記録媒体の収納ケース。
【発明の詳細な説明】
【技術分野】
【０００１】
本発明は、各種記録媒体を保管、運搬する際に用いる記録媒体の収納ケースに関する。
【背景技術】
【０００２】
各種記録媒体は流通の際には、収納ケースに収納して運搬することが行われている。例えば、下記特許文献１には、テープカートリッジ用の収納ケースが記載されている。この収納ケースは、プラスチック成形品であり、身部と蓋部とがヒンジ部を介して一体に繋がったものである。
【０００３】
収納ケース内には、テープカートリッジを収納するとともに、取扱説明書及び各種表示をしたラベルを収納する。さらに、収納ケース全体を包装フィルムで包装することになる。
【先行技術文献】
【特許文献】
【０００４】
【特許文献１】特開２００２−１０４５６８号公報
【発明の概要】
【発明が解決しようとする課題】
【０００５】
しかしながら、前記特許文献１に記載されているような収納ケースは、流通の際には必要であっても、テープカートリッジの使用の際には、必ずしも必要ではなかった。
【０００６】
不要となった収納ケースは、廃棄されることが多く、このことはプラスチックの廃棄物を増大させることになっていた。また、収納ケースとは別に必要になる取扱説明書、ラベル及び包装フィルムについても廃棄物を増大させる一因になっていた。
【０００７】
したがって、テープカートリッジをプラスチック製の収納ケースを用いて収納する従来の方法は、環境保護の観点からは有利な構成ではなかった。
【０００８】
本発明は、前記のような従来の問題を解決するものであり、包装資材を簡素化し環境保護に有利な記録媒体の収納ケースを提供することを目的とする。
【課題を解決するための手段】
【０００９】
前記目的を達成するために、記録媒体の収納ケースであって、前記記録媒体を包み込む内ケースと、一端に開口を形成し、内側に収納空間を形成した外ケースとを備え、前記内ケース及び前記外ケースは、紙材を折り曲げて形成しており、前記開口から前記内ケースを挿入して、前記内ケースを前記外ケースの前記収納空間に収納することを特徴とする。
【発明の効果】
【００１０】
本発明によれば、包装資材を簡素化し環境保護に有利な収納ケースを実現することができる。
【図面の簡単な説明】
【００１１】
【図１】本発明の一実施の形態に係る収納ケース１の斜視図。
【図２】本発明の一実施の形態に係る内ケース３の展開形状を示す平面図。
【図３】本発明の一実施の形態に係る内ケース３の折り曲げ途中の斜視図。
【図４】本発明の一実施の形態に係る内ケース３に、テープカートリッジ３０を載置した状態の斜視図。
【図５】本発明の一実施の形態に係る内ケース３により、テープカートリッジ３０を包み込んだ状態の斜視図。
【図６】本発明の一実施の形態に係る内ケース３において、上面１５及び１６の浮きがなくなるまで、上面１５及び１６を畳んだ状態を示す斜視図。
【図７】本発明の一実施の形態に係る外ケース２の折り曲げ途中を示す斜視図。
【図８】本発明の一実施の形態に係る外ケース２の完成状態を示す斜視図。
【図９】（ａ）図は図８のＡ部の拡大図、（ｂ）図は図８のＢ部の拡大図。
【図１０】本発明の一実施の形態において、外ケース２に、内ケース３を収納する前の状態を示す斜視図。
【図１１】本発明の一実施の形態において、外ケース２内に、内ケース３の一部を挿入した状態を示す斜視図。
【図１２】本発明の一実施の形態において、外ケース２内に、内ケース３を完全に収納する直前の状態を示す斜視図。
【図１３】図１２のＣ部の拡大図。
【図１４】本発明の一実施の形態において、爪部３３によるロック完了状態を示す斜視図。
【発明を実施するための形態】
【００１２】
本発明は、収納ケースを構成する内ケース及び外ケースのいずれについても、紙材を加工して形成したものである。各ケースは、予め紙材を所定形状にカットしておけば、以後は紙材の折り曲げにより形成することができる。このため、本発明に係る収納ケースは、樹脂成形によるものと比べて、設備面で簡素化できるとともに、樹脂材料の使用も不要となり、廃棄物の削減の点においても有利になる。すなわち、本発明によれば、包装資材を簡素化し環境保護に有利な収納ケースを実現することができる。
【００１３】
前記本発明の収納ケースにおいては、前記外ケースの側面は、前記開口側の端部を、前記収納空間側に折り返して形成した爪部を形成しており、前記内ケースの側面は、前記外ケースへの挿入方向の端部に、前記挿入方向の端部側が開放した隙間を形成しており、前記内ケースを前記外ケースに収納した状態で、前記隙間に前記爪部が差し込まれるようにしていることが好ましい。この構成によれば、紙材の折り曲げにより、内ケースが、外ケースから飛び出すことを防止するロック機能を設けることができる。
【００１４】
また、前記外ケースは、前記爪部を形成した側の前記開口の４隅に切り欠きを形成しており、前記切り欠きは、前記爪部を挟む位置に配置していることが好ましい。この構成によれば、内ケースの外ケースへの挿入性を向上させることができる。
【００１５】
また、前記内ケースの前記側面の前記挿入方向の両端部のうち、一端に前記隙間を形成し、他端は前記一端と異なる折り曲げ形状にして前記隙間を形成していないことが好ましい。この構成によれば、内ケース側面の両端のうち隙間を形成していない側から、内ケースを外ケースへ挿入することにより、爪部が隙間の形成部分に引っ掛かることを防止でき、内ケースの外ケースへの挿入性を向上させることができる。
【００１６】
また、前記内ケースの前記側面の前記挿入方向の両端部のうち、一端に前記隙間を形成し、他端は前記一端と異なる折り曲げ形状にして、前記内ケースの前記側面に対し起伏可能な起伏片を形成していることが好ましい。この構成によれば、起伏片の復元力により、内ケースが、外ケースから飛び出すことの防止により有利になる。
【００１７】
また、前記内ケース及び前記外ケースの少なくともいずれかに、前記記録媒体に関する表示が付されていることが好ましい。この構成によれば、収納ケースとは別に、各種表示物を追加することが不要になり、廃棄物の削減に有利になる。
【００１８】
また、前記内ケース及び前記外ケースの少なくともいずれかは、前記表示により、前記記録媒体の取扱説明書を兼ねていることが好ましい。この構成によれば、収納ケースとは別に、取扱説明書を追加することが不要になり、廃棄物の削減に有利になる
以下、本発明の一実施の形態に係る収納ケースについて、図面を参照しながら詳細に説明する。以下の実施の形態に係る収納ケースは、テープカートリッジの収納ケースの例である。
【００１９】
図１は、本実施の形態に係る収納ケース１の斜視図を示している。外ケース２内に、内ケース３を収納している。外ケース２及び内ケース３は、所定形状にカットした紙材のシートを折り曲げて形成している。図１は、テープカートリッジを包み込んだ内ケース３を、外ケース２内に収納した状態を示している。
【００２０】
図２は、内ケース３の展開形状を示しており、図３は、内ケース３の折り曲げ途中の斜視図を示している。図２に示したように、内ケース３は展開状態では、長辺４と短辺５とで形成した長方形シートである。
【００２１】
図２、３に示したように、短辺５の方向に、４本の折り込み線６を入れており、長辺４の方向に、２本の一対の折り込み線１０を入れている。図３に示したように、これらの折り込み線６、１０によって、内ケース３は、底面１２、背面１３、正面１４、上面１５及び上面１６に区画されている。
【００２２】
図３に示したように、底面部１２において、折り込み線１０と長辺４との間の部分を、折り込み線１０の位置で折り曲げることにより、底面１２から立ち上った一対の側片２０が形成される。上面１５において、折り込み線１０と長辺４との間の部分を、折り込み線１０の位置で折り曲げることにより、上面部１５から立ち上った一対の側片２１が形成される。同様にして、上面１６から立ち上った一対の側片２２が形成される。これらの側片２０、２１及び２２は、テープカートリッジを包み込んだ状態では、内ケース３の側面を形成することになる。
【００２３】
図２に示したように、各折り込み線６の端部から長辺４に向けて、折り込み線６の端部を頂点としたＶ字状の折り込み線７を入れている。このことにより、折り込み線７と長辺４とで囲まれた三角片２５、折り込み線７と長辺４と折り込み線１０とで囲まれた台形片２６を形成している。
【００２４】
図４は、内ケース３に、テープカートリッジ３０を載置した状態の斜視図を示している。図４は、図３の底面１２にテープカートリッジ３０を載置した状態である。図４の状態から、折り込み線６（図３参照）の位置で折り曲げながら、テープカートリッジ３０を覆うように、上面１５、１６を畳むことになる。
【００２５】
図５は、内ケース３がテープカートリッジ３０を包み込んだ状態の斜視図を示している。図３において、上面１５を畳む際には、三角片２５の内側が、台形片２６の内側に重なるようにする。このことにより、図５に示したように、三角片２５及び台形片２６は、側片２０及び２１の外側にはみ出した起伏片２７を形成している。
【００２６】
一方、図３において、上面１６を畳む際には、三角片２５の外側が、台形片２６の外側に重なるようにする。このことにより、図５に示したように、三角片２５及び台形片２６は、側片２０及び２２の内側に入り込むことになる。
【００２７】
図６は、上面１５及び１６の浮きがなくなるまで、上面１５及び１６を畳んだ状態を示す斜視図である。外力を加えない状態では、図５に示したように、上面１５及び１６は浮き上がった状態になる。これに対し、内ケース３が外ケース２内に収納されている状態では、上面１５及び１６の浮きがほとんどなく、ほぼ図６の状態になっている。
【００２８】
図６に示した状態では、底面１２に対して立設した側片２０、上面１５に対して立設した２０及び上面１６に対して立設した２２により、内ケース３の側面２８を形成している。
【００２９】
側面２８の両端は、前記の通り、折り曲げ形状が異なっている。側面２８の背面１３側には、側面２８の外側にはみ出した起伏片２７を形成している。起伏片２７は、側面２８に対し起伏可能である。起伏片２７に力を加えることにより、起伏片２７を側面２８側に変位させることができ、この力を解除すれば、起伏片２７は復元力により、側面２８から起き上がることになる。
【００３０】
他方、側面２８の正面１４側には、側面２８からはみ出した部分は形成されていない。側面２８の正面１４側では、三角片２５及び台形片２６は、側片２０及び２２の内側にある。このことにより、側面２８の正面１４側には、正面１４側が開放した隙間２９を形成している。
【００３１】
図７は、外ケース２の折り曲げ途中の斜視図を示している。外ケース２は、展開状態では、長辺３１及び短辺３２で形成した長方形シートから爪部３３の部分が延出したものである。図７の状態では、爪部３３は、外ケース２の内側に折り反している。
【００３２】
短辺３２の方向に、４本の折り込み線３４を入れている。これらの折り込み線３４によって、外ケース２は、底面部３５、側面部３６、側面部３７、上面部３８及び上面部３９に区画されている。また、爪部３３を挟む位置には、一対の切欠き４０を形成している。
【００３３】
図８は、外ケース２の完成状態の斜視図を示している。図８では、外ケース２は角筒形状になっている。この形状は、図７の展開状態から、折り込み線３４の位置で、外ケース２を折り曲げた後、上面部３８と上面部３９とを例えば接着テープで接着して形成することができる。図８において、外ケース２の端部は開口４１を形成し、内部の中空部分は、内ケース３を収納する収納空間４２になっている。
【００３４】
図９（ａ）、（ｂ）は、外ケース２の爪部３３の拡大図を示している。図９（ａ）は、図８のＡ部の拡大図であり、図９（ｂ）は、図８のＢ部の拡大図である。一対の爪部３３は、先端側を収納空間４２側に折り反している。
【００３５】
図１０は、外ケース２に、内ケース３を収納する前の状態を示した斜視図である。爪部３３を形成した側の開口４１と、内ケース３の背面１３とが対向している。図１０の状態から、内ケース３を外ケース２の開口４１に挿入し、内ケース３を外ケース２の収納空間４２内に収納することになる。
【００３６】
内ケース３の側面２８からは、起伏片２７が起き上がっている。このため、内ケース３の外ケース２の開口４１への挿入開始時点では、開口４１の開口面積より大きい部分が、開口４１に入り込むことになる。本実施の形態では、開口４１の４隅に、切り欠き４０を形成しているので、内ケース３の挿入性を向上させている。すなわち、切り欠き４０の形成により、開口４１が広がり易くなっており、内ケース３の挿入も容易になる。
【００３７】
内ケース３の挿入後は、爪部３３に当接した起伏片２７は、内ケース３の側面２８側に押圧され、側面２８側に変位した状態で、内ケース３の挿入が進むことになる。
【００３８】
図１１は、外ケース２内に、内ケース３の一部を挿入した状態の斜視図である。この状態から、さらに内ケース３を押し進めることになる。
【００３９】
図１２は、外ケース２内に、内ケース３を完全に収納する直前の状態を示す斜視図である。図１３は、図１２のＣ部の拡大図である。爪部３３が隙間２９の手前にまで到達している。この場合、折返し部分である爪部３３は、内ケース３の側面から押圧されていることになる。
【００４０】
前記の通り、台形片２６は側片２０及び２２の内側にある。台形片２６と側片２０及び２２との間の部分が、正面１４側が開放した隙間２９である。すなわち、側辺２０及び２２と台形片２６との間には段差が形成され、隙間２９は側辺２０及び２２上から窪んだ位置にあることになる。
【００４１】
爪部３３が、側辺２０及び２２上から台形片２６上に向かう際に、すなわち隙間２９を通過する際に、押圧された爪部３３の復元力が作用し、爪部３３は台形片２６側に変位することになる。この際、爪部３３の一部が隙間２９に入り込むことになる。
【００４２】
爪部３３の基部３３ａを、内ケース３の正面１４から若干はみ出すまで移動させた後、基部３３ａを正面１４の位置に戻せば、爪部３３は隙間２９内に差し込まれることになる。このことにより、爪部３３が隙間２９内にロックされ、内ケース３の正面１４が、外ケース２から飛び出すことを防止することが可能になる。
【００４３】
図１４は、爪部３３によるロック完了状態を示している。この状態では、内ケース３の外ケース２内への収納は完了している。爪部３３によるロックにより、内ケース３が外ケース２から飛び出しにくくなっている。一方、内ケース３の他端側においては、起伏片２７の復元力により、起伏片２７が外ケース２の側面を内側から押圧している。このことにより、内ケース３は、背面１３側においても、外ケース２から飛び出しにくくなっている。
【００４４】
以上、本実施の形態に係る収納ケース１によるテープカートリッジ３０の収納について説明したが、収納ケース１を構成する内ケース３及び外ケース３のいずれについても、紙材を加工して形成している。各ケースは、予め紙材を所定形状にカットしておけば、以後は紙材の折り曲げにより形成することができる。
【００４５】
このため、本実施の形態に係る収納ケース１は、樹脂成形によるものと比べて、設備面で簡素化できるとともに、樹脂材料の使用も不要となり、廃棄物の削減の点においても有利になる。
【００４６】
また、収納物であるテープカートリッジ３０の取り扱いに関する説明は、内ケース３及び外ケース２の少なくともいずれかに印刷して表示することができる。この場合、収納ケースが取扱説明書を兼ねることになり、収納ケースとは別に取扱説明書を追加する必要がなくなる。
【００４７】
同様に、テープカートリッジ３０に関する表示カードの内容も、内ケース３及び外ケース２の少なくともいずれかに印刷して表示することができ、表示カードも削減することができる。
【００４８】
また、本実施の形態に係る収納ケース１は、前記の通りロック機能があり、内ケース３の外ケース２からの飛び出しを防止することができる。このため、収納ケース１を包装する包装フィルムを省くこともできる。このことも、廃棄物の削減に有利になる。
【００４９】
なお、本実施の形態に係る収納ケースは、折り曲げ前の紙材のシート形状の設定により、収納物の大きさに合わせた収納ケースとすることができる。このため、本実施の形態では、収納対象物がテープカートリッジの例で説明したが、これに限るものではなく、各種記録媒体を収納することができる。例えば、外付けハードディスクの収納ケースとしてもよい。
【産業上の利用可能性】
【００５０】
以上のように、本発明に係る収納ケースは、包装資材を簡素化でき環境保護に有利になるので、各種記録媒体を保管、運搬する際に用いる収納ケースとして有用である。
【符号の説明】
【００５１】
１  収納ケース
２  外ケース
３  内ケース
２７  起伏片
３０  テープカートリッジ（記録媒体）
３３  爪部
４０  切り欠き
４１  開口
４２  収納部
２８  側面
２９  隙間
【図１】
2010173676.tif 000003
【図２】
2010173676.tif 000004
【図３】
2010173676.tif 000005
【図４】
2010173676.tif 000006
【図５】
2010173676.tif 000007
【図６】
2010173676.tif 000008
【図７】
2010173676.tif 000009
【図８】
2010173676.tif 000010
【図９】
2010173676.tif 000011
【図１０】
2010173676.tif 000012
【図１１】
2010173676.tif 000013
【図１２】
2010173676.tif 000014
【図１３】
2010173676.tif 000015
【図１４】
2010173676.tif 000016